(57)【要約】【課題】少なくとも１台の車輌において新しく設置された料金所から送信された料金所識別情報に基づいて、複数台の車載端末で新しい料金所の料金所名のデータを容易に共有することができるようにする。【解決手段】本発明に係る料金所名更新システム１００によれば、車載端末１において、ＥＴＣ車載器２から受信されたＥＴＣデータの料金所番号及びこれに対応する料金所名が料金所データ格納部４０２に格納されていない場合、料金所データ格納部４０２にレコードが追加され、「料金所番号」領域に料金所番号が格納されるとともに、「フラグ」領域に“１”が設定される。収集装置５においては、メモリカード４が装着されると、「フラグ」領域に“１”が設定されたレコードが検索され、検索されたレコードの料金所番号に対応する料金所名が入力され、料金所マスタファイル５０８ｂに料金所番号と対応付けて料金所名が追加書き込みされる。【選択図】図１
2008027053.tif 000002
【特許請求の範囲】
【請求項１】
外部施設の料金所に設けられた料金所装置との間で前記料金所を識別するための料金所識別情報及び前記外部施設の利用料金情報の送受信を行う通信装置に接続され、外部施設の料金所の料金所識別情報と料金所名とが対応付けて記憶された記録媒体が着脱可能に構成された車載端末であって、
前記通信装置により受信された料金所識別情報に対応する料金所名を前記記録媒体に記憶された情報から検索する検索手段と、
前記検索手段により前記受信された料金所識別情報に対応する料金所名が検索されなかった場合に、当該料金所識別情報を前記記録媒体に書き込む書き込み手段と、
を備えたことを特徴とする車載端末。
【請求項２】
現在位置の位置情報を取得する位置情報取得手段を備え、
前記書き込み手段は、前記検索手段により前記受信された料金所識別情報に対応する料金所名が検索されなかった場合に、前記位置情報取得手段により前記料金所の通過時に取得された位置情報を前記料金所識別情報に対応付けて前記記録媒体に書き込むことを特徴とする請求項１に記載の車載端末。
【請求項３】
前記通信装置から料金所識別情報を受信した際に、当該料金所識別情報に対応する料金所名を音声入力する音声入力手段を備え、
前記書き込み手段は、前記検索手段により前記受信された料金所識別情報に対応する料金所名が検索されなかった場合に、前記料金所識別情報の受信に応じて前記音声入力手段により入力された音声情報を前記料金所識別情報と対応付けて前記記録媒体に書き込むことを特徴とする請求項１に記載の車載端末。
【請求項４】
外部施設の料金所の料金所識別情報と料金所名とが対応付けて記憶されるとともに料金所名が対応付けられていない料金所識別情報が記憶された記録媒体が着脱可能に構成され、当該記録媒体に記憶された情報を収集する収集装置であって、
外部施設の料金所の料金所識別情報と料金所名とを対応付けて記憶する料金所情報記憶手段と、
前記記録媒体に記憶された前記料金所名が対応付けられていない料金所識別情報が前記料金所情報記憶手段に既に記憶されているか否かを判断し、記憶されていない場合に、当該料金所識別情報を前記料金所情報記憶手段に追加書き込みする追加書き込み手段と、
前記追加書き込み手段により追加書き込みされた料金所識別情報に対応する料金所名を入力する入力手段と、
前記入力手段により入力された料金所名を前記追加書き込みされた料金所識別情報と対応付けて前記料金所情報記憶手段に記憶させる更新手段と、
前記更新手段により更新済みの前記料金所情報記憶手段の情報を前記記録媒体に書き込む書き込み手段と、
を備えたことを特徴とする収集装置。
【請求項５】
前記追加書き込み手段により前記料金所情報記憶手段に追加書き込みされた料金所識別情報を表示する表示手段を備えたことを特徴とする請求項４に記載の収集装置。
【請求項６】
前記記録媒体には、料金所名が対応付けられていない料金所識別情報と当該料金所識別情報により識別される料金所の位置情報とが対応付けて記憶されており、
前記表示手段は、前記料金所識別情報とともに前記記録媒体において当該料金所識別情報と対応付けて記憶されている位置情報を表示することを特徴とする請求項５に記載の収集装置。
【請求項７】
前記記録媒体には、料金所名が対応付けられていない料金所識別情報と当該料金所識別情報により識別される料金所の料金所名を示す音声情報とが対応付けて記憶されており、
前記記録媒体において前記料金所識別情報と対応付けて記憶されている音声情報に基づき音声を出力する音声出力手段を備えたことを特徴とする請求項５に記載の収集装置。
【請求項８】
請求項１に記載の車載端末と、請求項４に記載の収集装置とを備えたことを特徴とする料金所名更新システム。
【請求項９】
外部施設の料金所に設けられた料金所装置との間で前記料金所を識別するための料金所識別情報及び前記外部施設の利用料金情報の送受信を行う通信装置に接続され、外部施設の料金所の料金所識別情報と料金所名とが対応付けて記憶された記録媒体が着脱可能に構成された車載端末に用いられるコンピュータを、
前記通信装置により受信された料金所識別情報に対応する料金所名を前記記録媒体に記憶された情報から検索する検索手段、
前記検索手段により前記受信された料金所識別情報に対応する料金所名が検索されなかった場合に、当該料金所識別情報を前記記録媒体に書き込む書き込み手段、
として機能させるためのプログラム。
【請求項１０】
外部施設の料金所の料金所識別情報と料金所名とが対応付けて記憶されるとともに料金所名が対応付けられていない料金所識別情報が記憶された記録媒体が着脱可能に構成され、当該記録媒体に記憶された情報を収集する収集装置に用いられるコンピュータを、
外部施設の料金所の料金所識別情報と料金所名とを対応付けて記憶する料金所情報記憶手段、
前記記録媒体に記憶された前記料金所名が対応付けられていない料金所識別情報が前記料金所情報記憶手段に既に記憶されているか否かを判断し、記憶されていない場合に、当該料金所識別情報を前記料金所情報記憶手段に追加書き込みする追加書き込み手段、
前記追加書き込み手段により追加書き込みされた料金所識別情報に対応する料金所名を入力する入力手段、
前記入力手段により入力された料金所名を前記追加書き込みされた料金所識別情報と対応付けて前記料金所情報記憶手段に記憶させる更新手段、
前記更新手段により更新済みの前記料金所情報記憶手段の情報を前記記録媒体に書き込む書き込み手段、
として機能させるためのプログラム。
【発明の詳細な説明】
【技術分野】
【０００１】
本発明は、外部施設の料金所から新規に受信した料金所識別情報を記録媒体に書き込む車載端末、記録媒体を介して車載端末から料金所識別情報を収集し、料金所識別情報及び対応する料金所名を記憶する料金所情報記憶手段を更新する収集装置、前記車載端末と前記収集装置を備えた料金所名更新システム及びプログラムに関する。
【背景技術】
【０００２】
従来、ナビゲーション装置において、ＥＴＣ（自動料金支払いシステム）等により料金精算に伴うデータ通信が行われた位置座標をもとに、通信の相手側施設のランドマークデータについて、新規追加や位置修正等の更新を自動で行う技術が知られている（例えば、特許文献１参照）。
【特許文献１】特開２００４−１９１１７４号公報
【発明の開示】
【発明が解決しようとする課題】
【０００３】
ところで、ＥＴＣの料金所装置とその料金所を通過する車輌に設けられたＥＴＣ車載器との間の通信では、ＥＴＣ料金所からその料金所を識別するための料金所識別情報として料金所番号がＥＴＣ車載器に送信されてくるが、料金所名は送信されない。そのため、タクシーにおいて、料金所名をレシートに印刷するには、タクシー内に設けられた車載端末に、受信した料金所番号に対応する料金所名のデータを予め記憶している必要がある。この料金所名のデータは、タクシー会社内のデータベースファイルで管理し、各タクシーのデータを更新していくのが一般的である。
【０００４】
上記のケースにおいては、新たな料金所が設置された場合、タクシー会社のデータベースに新たな料金所名を追加しなければならないが、新しい料金所が日々設置されていく中で、新しい料金所の情報をリアルタイムで収集して更新するのは、人手や手間がかかる。そのため、データベースの内容が更新されず、運転手が会社側に申告してデータベースに新しい料金所名を追加するよう要求しない限り、いつまでたっても新たな料金所名をレシート上に追加することができない。
【０００５】
上述の特許文献１に記載の技術においては、ＥＴＣの料金所装置との通信に基づき１台のナビゲーション装置における情報を更新することはできるが、タクシー会社のように、複数台の車載端末においてデータを共有する場合には、適用することができなかった。
【０００６】
本発明の課題は、少なくとも１台の車輌において新しく設置された料金所から受信した料金所識別情報に基づいて、複数台の車載端末で新しい料金所の料金所名のデータを容易に共有することができるようにすることである。
【課題を解決するための手段】
【０００７】
上記課題を解決するため、請求項１に記載の発明は、
外部施設の料金所に設けられた料金所装置との間で前記料金所を識別するための料金所識別情報及び前記外部施設の利用料金情報の送受信を行う通信装置に接続され、外部施設の料金所の料金所識別情報と料金所名とが対応付けて記憶された記録媒体が着脱可能に構成された車載端末であって、
前記通信装置により受信された料金所識別情報に対応する料金所名を前記記録媒体に記憶された情報から検索する検索手段と、
前記検索手段により前記受信された料金所識別情報に対応する料金所名が検索されなかった場合に、当該料金所識別情報を前記記録媒体に書き込む書き込み手段と、
を備えたことを特徴としている。
【０００８】
請求項４に記載の発明は、
外部施設の料金所の料金所識別情報と料金所名とが対応付けて記憶されるとともに料金所名が対応付けられていない料金所識別情報が記憶された記録媒体が着脱可能に構成され、当該記録媒体に記憶された情報を収集する収集装置であって、
外部施設の料金所の料金所識別情報と料金所名とを対応付けて記憶する料金所情報記憶手段と、
前記記録媒体に記憶された前記料金所名が対応付けられていない料金所識別情報が前記料金所情報記憶手段に既に記憶されているか否かを判断し、記憶されていない場合に、当該料金所識別情報を前記料金所情報記憶手段に追加書き込みする追加書き込み手段と、
前記追加書き込み手段により追加書き込みされた料金所識別情報に対応する料金所名を入力する入力手段と、
前記入力手段により入力された料金所名を前記追加書き込みされた料金所識別情報と対応付けて前記料金所情報記憶手段に記憶させる更新手段と、
前記更新手段により更新済みの前記料金所情報記憶手段の情報を前記記録媒体に書き込む書き込み手段と、
を備えたことを特徴としている。
【０００９】
請求項８に記載の発明の料金所名更新システムは、
請求項１に記載の車載端末と、請求項４に記載の収集装置とを備えたことを特徴としている。
【００１０】
請求項９に記載の発明は、
外部施設の料金所に設けられた料金所装置との間で前記料金所を識別するための料金所識別情報及び前記外部施設の利用料金情報の送受信を行う通信装置に接続され、外部施設の料金所の料金所識別情報と料金所名とが対応付けて記憶された記録媒体が着脱可能に構成された車載端末に用いられるコンピュータを、
前記通信装置により受信された料金所識別情報に対応する料金所名を前記記録媒体に記憶された情報から検索する検索手段、
前記検索手段により前記受信された料金所識別情報に対応する料金所名が検索されなかった場合に、当該料金所識別情報を前記記録媒体に書き込む書き込み手段、
として機能させるためのプログラムであることを特徴としている。
【００１１】
請求項１０に記載の発明は、
外部施設の料金所の料金所識別情報と料金所名とが対応付けて記憶されるとともに料金所名が対応付けられていない料金所識別情報が記憶された記録媒体が着脱可能に構成され、当該記録媒体に記憶された情報を収集する収集装置に用いられるコンピュータを、
外部施設の料金所の料金所識別情報と料金所名とを対応付けて記憶する料金所情報記憶手段、
前記記録媒体に記憶された前記料金所名が対応付けられていない料金所識別情報が前記料金所情報記憶手段に既に記憶されているか否かを判断し、記憶されていない場合に、当該料金所識別情報を前記料金所情報記憶手段に追加書き込みする追加書き込み手段、
前記追加書き込み手段により追加書き込みされた料金所識別情報に対応する料金所名を入力する入力手段、
前記入力手段により入力された料金所名を前記追加書き込みされた料金所識別情報と対応付けて前記料金所情報記憶手段に記憶させる更新手段、
前記更新手段により更新済みの前記料金所情報記憶手段の情報を前記記録媒体に書き込む書き込み手段、
として機能させるためのプログラムであることを特徴としている。
【発明の効果】
【００１２】
請求項１、９に記載の発明によれば、外部施設の料金所に設けられた料金所装置との間で料金所を識別するための料金所識別情報及び外部施設の利用料金情報の送受信を行う通信装置に接続され、外部施設の料金所の料金所識別情報と料金所名とが対応付けて記憶された記録媒体が着脱可能に構成された車載端末において、通信装置により受信された料金所識別情報に対応する料金所名を記録媒体に記憶された情報から検索し、受信された料金所識別情報に対応する料金所名が検索されなかった場合に、受信された料金所識別情報を記録媒体に書き込む。
【００１３】
従って、記録媒体に料金所名が記憶されていない新しい料金所の料金所識別情報を、記録媒体を介して複数台の車載端末で共有するための料金所識別情報及び対応する料金所名を記憶する料金所情報記憶手段を更新する収集装置に提供することができ、少なくとも１台の車輌において新しく設置された料金所から受信した料金所識別情報に基づいて、複数台の車載端末で新しい料金所の料金所名のデータを容易に共有することを可能とすることができる。
【００１４】
請求項２に記載の発明によれば、新たに料金所から受信された料金所識別情報とともにその料金所の位置情報を対応付けて記録媒体に記憶するので、記録媒体を介して、新しく受信された料金所識別情報とともにその料金所の位置情報を収集装置に提供することが可能となり、収集装置側での料金所識別情報に対応する料金所名の特定が容易となる。
【００１５】
請求項３に記載の発明によれば、新たに料金所から受信された料金所識別情報とともにその料金所の料金所名の音声情報を対応付けて記録媒体に記憶するので、記録媒体を介して、新しく受信された料金所識別情報とともにその料金所名の音声情報を収集装置に提供することが可能となり、収集装置側での料金所識別情報に対応する料金所名の特定が容易となる。
【００１６】
請求項４、１０に記載の発明によれば、外部施設の料金所の料金所識別情報と料金所名とが対応付けて記憶されるとともに料金所名が対応付けられていない料金所識別情報が記憶された記録媒体が着脱可能に構成され、記録媒体に記憶された情報を収集する収集装置において、記録媒体に記憶された、料金所名が対応付けられていない料金所識別情報が料金所識別情報と料金所名とを対応付けて記憶する料金所情報記憶手段に既に記憶されているか否かを判断し、記憶されていない場合に、料金所識別情報を記料金所情報記憶手段に追加書き込みし、追加書き込みされた料金所識別情報に対応する料金所名が入力されると、入力された料金所名を追加書き込みされた料金所識別情報と対応付けて料金所情報記憶手段に記憶させて更新し、更新済みの料金所情報記憶手段の情報を記録媒体に書き込む。
【００１７】
従って、装着された記録媒体から提供される新しい料金所の料金所識別情報と、その料金所名とを料金所情報記憶手段に追加することが可能となり、少なくとも１台の車輌において新しく設置された料金所から受信した料金所識別情報に基づいて、複数台の車載端末で新しい料金所の料金所名のデータを容易に共有することが可能となる。
【００１８】
請求項５に記載の発明によれば、新しい料金所の料金所識別情報を表示手段に表示するので、料金所名を入力すべき料金所識別情報をオペレータが容易に認識することが可能となる。
【００１９】
請求項６に記載の発明によれば、新しい料金所の料金所識別情報とともにその料金所の位置情報を表示するので、料金所識別情報に対応する料金所名を容易に特定し入力することが可能となる。
【００２０】
請求項７に記載の発明によれば、表示された新しい料金所の料金所識別情報の料金所名を音声出力することができるので、料金所識別情報に対応する料金所名を容易に特定し入力することが可能となる。
【００２１】
請求項８に記載の発明によれば、車載端末において、記録媒体に料金所名が記憶されていない新しい料金所の料金所識別情報を記録媒体に書き込み、その記録媒体を収集装置に装着することにより、装着された記録媒体に書き込まれた新しい料金所の料金所識別情報と、その料金所名とを料金所情報記憶手段に容易に追加することが可能となり、少なくとも１台の車輌において新しく設置された料金所から受信した料金所識別情報に基づいて、複数台の車載端末で新しい料金所の料金所名のデータを容易に共有することが可能となる。
【発明を実施するための最良の形態】
【００２２】
（実施形態１）
以下、図を参照して本発明の実施形態１について説明する。
まず、構成を説明する。
図１に、本発明に係る料金所名更新システム１００の全体構成を示す。料金所名更新システム１００は、タクシー会社が運営する各タクシー（Ｔ１〜Ｔｎ（ｎは正の整数））の売上データを収集したり、日々新設されるＥＴＣ料金所に関する情報を更新し、各タクシーＴ１〜Ｔｎにメモリカード４を介して提供したりするシステムである。料金所名更新システム１００は、図１に示すように、各タクシー内に設けられ、ＥＴＣ車載器２及び料金メータ３が接続された車載端末１と、タクシー会社に設けられ、売上データを収集する収集装置５とを備えて構成されている。車載端末１及び収集装置５はメモリカード４の着脱が可能であり、車載端末１と収集装置５との間においては、メモリカード４を介してデータ転送が可能である。なお、各装置の台数は特に限定されない。
【００２３】
以下、料金所名更新システム１００を構成する各装置について詳細に説明する。
まず、車載端末１について説明する。
車載端末１は、タクシー内に設けられ、ＥＴＣ車載器２から受信した情報及び料金メータ３から受信した情報に基づき売上データを算出し、メモリカード４に記憶したり、レシートを発行したりする装置である。
【００２４】
図２に、車載端末１の機能的構成を示す。図２に示すように、車載端末１は、ＣＰＵ１０１、入力装置１０２、音声入出力装置１０３、ＧＰＳ装置１０４、伝送制御部１０５、表示装置１０６、印字装置１０７、ＲＡＭ１０８、記録装置１０９、メモリカードリーダライタ１１０を備えて構成され、各部はバス１１１により接続されている。
【００２５】
ＣＰＵ（Central Processing Unit）１０１は、記録装置１０９に記憶されているシステムプログラムを読み出し、ＲＡＭ１０８内に形成されたワークエリアに展開し、該システムプログラムに従って各部を制御する。また、ＣＰＵ１０１は、記録装置１０９に記憶されている各種処理プログラムを読み出してワークエリアに展開し、後述するメイン処理（図８参照）、ＥＴＣデータ受信処理（図９参照）、取引締め処理（図１０参照）を始めとする各種処理を実行する。
【００２６】
入力装置１０２は、操作指示を入力するための数字キー、文字キー、機能キーなどの各種キーにより構成され、これらのキーの操作信号を入力信号としてＣＰＵ１０１に出力する。
【００２７】
音声入出力装置１０３は、マイク１０３ａ、スピーカ１０３ｂを備えて構成され、マイク１０３ａから入力されたアナログ音声信号をＡ／Ｄ変換して音声データ（音声情報）を生成し、ＣＰＵ１０１に出力する。また、ＣＰＵ１０１からの指示に基づいて音声信号を生成し、スピーカ１０３ｂから出力する。
【００２８】
位置情報取得手段としての  ＧＰＳ（Global Positioning System）装置１０４は、ＧＰＳアンテナを備えて構成されている。ＧＰＳアンテナは、地球低軌道に打ち上げられた少なくとも３個のＧＰＳ衛星から送信されるＧＰＳ信号を受信するようになっており、ＧＰＳ装置１０４は、受信したＧＰＳ信号に基づいて自車位置情報である車両の絶対的な現在位置（緯度、経度）を算出し、ＣＰＵ１０１に出力する。
【００２９】
伝送制御部１０５は、ＥＴＣ車載器２と接続し、ＥＴＣ車載器２との間でデータ入出力を行うインターフェース、及び、料金メータ３と接続し、料金メータ３との間でデータ入出力を行うインターフェースにより構成される。
【００３０】
表示装置１０６は、ＬＣＤ（Liquid Crystal Display）等により構成され、ＣＰＵ１０１から入力される表示信号の指示に従って、表示画面上に各種情報を表示する。
【００３１】
印字装置１０７は、例えば、ドットインパクトプリンタ、熱転写プリンタ等により構成され、ＣＰＵ１０１の制御に基づいて、タクシー料金のレシートを印刷出力する。
【００３２】
ＲＡＭ１０８は、ＣＰＵ１０１により実行されるシステムプログラム、各種処理プログラム、各処理において処理中のデータ、処理結果などを一時的に記憶するワークエリアを形成する。本実施形態において、ＲＡＭ１０８は、売上データを格納するための売上データメモリ１０８ａ、及び、ＥＴＣゲートを通過した際にＥＴＣ車載器２より出力される入口料金所番号、入口料金所番号に対応する入口料金所名、出口料金所番号、出口料金所番号に対応する出口料金所名、料金情報を格納するための料金／入口・出口名メモリ１０８ｂを有している。図３に、売上データメモリ１０８ａのデータ格納例を示す。図４に、料金／入口・出口名メモリ１０８ｂのデータ格納例を示す。
【００３３】
記録装置１０９は、磁気的又は光学的記録媒体若しくは不揮発性の半導体メモリ等により構成され、ＣＰＵ１０１で実行されるシステムプログラム、当該システムプログラムに対応するメイン処理プログラム、ＥＴＣデータ受信処理プログラム、取引締め処理プログラムを始めとする各種処理プログラム、ガイダンス用の音声データ等の各種データを記憶する。これらの各種プログラムは、読取可能なプログラムコードの形態で格納され、ＣＰＵ１０１は、当該プログラムコードに従った動作を逐次実行する。
【００３４】
メモリカードリーダライタ１１０は、メモリカード４が着脱可能に構成され、ＣＰＵ１０１からの指示に従ってメモリカード４からのデータの読み出し及びメモリカード４へのデータの書き込みを行う。本実施形態においては、メモリカード４としてＣＦカード（Compact Flash Card）を用いることとするが、ＳＤカード（Secure Digital Card）、ＭＭＣ（Multi Media Card）カード、メモリスティック（登録商標）等、他の記録媒体を用いることとしてもよい。
【００３５】
ＥＴＣ車載器２は、ＥＴＣアンテナ（図示せず）を備え、有料道路等の外部施設の料金所等に設置された料金所装置との間で通行料金収受に必要な情報（料金所番号（入口料金所番号、出口料金所番号）、通過時刻、車種情報、利用料金情報（以下、料金情報）等）を無線通信により送受信し、通行料金の電子決済を行う通信装置である。また、ＥＴＣ車載器２は、料金所装置と無線通信した内容に基づいて、入口料金所番号、出口料金所番号、料金情報、通過時刻等のＥＴＣデータを生成し、車載端末１に出力する。
【００３６】
料金メータ３は、現在のタクシーの状態に応じて料金メータ３の動作を切り替えるための操作ボタン（空車ボタン、実車ボタン、支払いボタン、駐車ボタン等）を備える。料金メータ３は、実車ボタンが押下されてから支払いボタンが押下されるまでのタクシーの利用料金を計測し、得られた利用料金データを車載端末１に出力する。
【００３７】
記録媒体としてのメモリカード４は、図５に示すように、車載端末１から書き込まれる売上データを格納する売上データ格納部４０１、料金所データ格納部４０２を格納する料金所データ格納部４０２を有する。
【００３８】
図６に、料金所データ格納部４０２のデータ格納例を示す。料金所データ格納部４０２は、図６に示すように、料金所の識別情報である料金所番号を格納するための「料金所番号」領域、料金所の名称（料金所名）を格納するための「料金所名」領域、新しく追加されたレコードであるか否かを示すフラグ（新しく追加されたレコードは“１”、既存のレコード（デフォルト）は“０”）を格納するための「フラグ」領域を有している。即ち、メモリカード４は、料金所データ格納部４０２に、収集装置５から書き込まれる各料金所の料金所番号と、その料金所番号で識別される料金所の料金所名を対応付けて記憶する。また、車載端末１において、ＥＴＣ車載器２から当該料金所データ格納部４０２に料金所番号及び料金所名が格納されていない料金所番号が受信された際に、新たにレコードを追加し、受信した料金所番号を他の料金所番号を格納するとともに、対応する「フラグ」領域にフラグ“１”を設定する。
【００３９】
収集装置５は、装着されたメモリカード４から売上データを収集して売上マスタファイル５０８ａを更新し、メモリカード４の売上データをクリアするとともに、メモリカード４にフラグ“１”が設定されているレコードがある場合に、当該フラグ“１”の設定されている料金所データのレコードを取得して、料金所マスタファイル５０８ｂ及びメモリカード４のデータの更新を行う処理装置である。
【００４０】
図７に、収集装置５の機能的構成を示す。図７に示すように、収集装置５は、ＣＰＵ５０１、入力装置５０２、ＲＡＭ５０３、伝送制御部５０４、表示装置５０５、印字装置５０６、音声出力装置５０７、記録装置５０８、メモリカードリーダライタ５０９を備えて構成され、各部はバス５１０を介して接続されている。
【００４１】
ＣＰＵ５０１は、記録装置５０８に記憶されているシステムプログラムを読み出し、ＲＡＭ５０３内に形成されたワークエリアに展開し、該システムプログラムに従って各部を制御する。また、ＣＰＵ５０１は、記録装置５０８に記憶されている各種処理プログラムを読み出してワークエリアに展開し、後述する集計処理（図１３参照）を始めとする各種処理を実行する。
【００４２】
入力装置５０２は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ５０１に出力する。
【００４３】
ＲＡＭ５０３は、ＣＰＵ５０１により実行されるシステムプログラム、各種処理プログラム、各処理において処理中のデータ、処理結果などを一時的に記憶するワークエリアを形成する。
【００４４】
伝送制御部５０４は、ＮＩＣ（Network Interface Card）、ルータ等の通信インターフェースを備えて構成され、インターネットＮに接続された各装置とデータ送受信を行う。
【００４５】
表示装置５０５は、例えば、ＣＲＴやＬＣＤ等のモニタを備えて構成されており、ＣＰＵ５０１から入力される表示信号の指示に従って、各種画面を表示する。
【００４６】
印字装置５０６は、例えば、レーザプリンタ等により構成され、ＣＰＵ５０１の制御に基づいて、売上処理結果等を印刷出力する。
【００４７】
音声出力装置５０７は、Ｄ／Ａ変換機、増幅器、スピーカ等を備えて構成され、ＣＰＵ５０１からの指示に従って音声を出力する。
【００４８】
記録装置５０８は、磁気的又は光学的記録媒体若しくは不揮発性の半導体メモリ等により構成され、ＣＰＵ５０１で実行されるシステムプログラム、当該システムプログラムに対応する、集計処理プログラムを始めとする各種処理プログラム、各種データ等を記憶する。これらの各種プログラムは、読取可能なプログラムコードの形態で格納され、ＣＰＵ５０１は、当該プログラムコードに従った動作を逐次実行する。
【００４９】
また、記録装置５０８は、メモリカードリーダライタ５０９から入力された売上データを格納するための売上マスタファイル５０８ａ、料金所データを格納するための料金所マスタファイル５０８ｂを備えている。料金所マスタファイル５０８ｂのデータ格納構成は、図６に示したのと同様である。
【００５０】
メモリカードリーダライタ５０９は、メモリカード４が着脱可能に構成され、メモリカード４からのデータの読み出し及びメモリカード４へのデータの書き込みを行う。
【００５１】
次に、本実施形態の動作について説明する。
図８に、車載端末１において実行されるメイン処理を示す。当該処理は、ＣＰＵ１０１と記録装置１０９に記憶されているメイン処理プログラムとの協働によるソフトウエア処理により実現される処理である。なお、車載端末１には、メモリカード４は予めメモリカードリーダライタ１１０に装着されていることとする。また、メモリカード４に記憶されているデータへのアクセスは、メモリカードリーダライタ１１０を介して行われる。
【００５２】
メイン処理においては、伝送制御部１０５を介してＥＴＣ車載器２からのデータ受信が開始されると（ステップＳ１；ＹＥＳ）、ＥＴＣデータ受信処理が実行され（ステップＳ２）、入力装置１０２から取引締め処理の実行が指示されると（ステップＳ３；ＹＥＳ）、取引締め処理が実行される（ステップＳ４）。
【００５３】
図９に、ステップＳ２において実行されるＥＴＣデータ受信処理を示す。当該処理は、ＣＰＵ１０１と記録装置１０９に記憶されているＥＴＣデータ受信処理プログラムとの協働によるソフトウエア処理により実現される処理である。
【００５４】
ＥＴＣ車載器２から送信される料金所番号（入口料金所番号又は出口料金所番号）を含むＥＴＣデータが受信されると（ステップＳ１０１）、メモリカードリーダライタ１１０に装着されているメモリカード４の料金所データ格納部４０２から、受信されたＥＴＣデータに含まれる料金所番号を含む料金所データの検索が行われる（ステップＳ１０２；検索手段）。なお、料金所データ格納部４０２には、料金所番号と料金所名が予め対応付けて記憶されており、ステップＳ１０２においては、受信されたＥＴＣデータに含まれる料金所番号を含む料金所データのレコードを料金所データ格納部４０２から検索することにより、受信された料金所番号に対応する料金所名を検索している。検索の結果、料金所データ格納部４０２に受信された料金所番号を含む料金所データが存在した場合（ステップＳ１０３；ＹＥＳ）、現在顧客の乗車中であるか否かが判断される（ステップＳ１０４）。現在乗車中であるか否かの判断は、料金メータ３に現在実車中であるか否かの問い合わせが行われ、実車中であるとの回答が受信された場合、現在乗車中であると判断され、空車中であるとの回答が受信された場合、現在乗車中ではないと判断される。
【００５５】
現在乗車中ではないと判断されると（ステップＳ１０４；ＮＯ）、処理は図８のステップＳ３に移行する。
【００５６】
現在乗車中であると判断されると（ステップＳ１０４；ＹＥＳ）、受信されたＥＴＣデータに含まれる料金所番号及び料金所データ格納部４０２において当該料金所番号に対応付けて記憶されている料金所名が料金／入口・出口名メモリ１０８ｂに格納される（ステップＳ１０５）。
具体的には、ＥＴＣデータに入口料金所番号が含まれている場合には、料金／入口・出口名メモリ１０８ｂの「入口料金所番号」領域に受信した入口料金所番号が格納されるとともに、料金所データ格納部４０２において当該料金所番号に対応付けて記憶されている料金所名が「入口料金所名」領域に格納される。
ＥＴＣデータに出口料金所番号が含まれている場合には、料金／入口・出口名メモリ１０８ｂの「出口料金所番号」領域に受信した出口料金所番号が格納されるとともに、料金所データ格納部４０２において当該料金所番号に対応付けて記憶されている料金所名が「出口料金所名」領域に格納される。
【００５７】
次いで、受信されたＥＴＣデータに料金情報が含まれているか否かが判断され、受信されたＥＴＣデータに料金情報が含まれていない場合には、処理は図８のステップＳ３に移行する。受信されたＥＴＣデータに料金情報が含まれていると判断された場合（ステップＳ１０６；ＹＥＳ）、受信された料金情報が料金／入口・出口名メモリ１０８ｂの「料金情報」領域に格納され（ステップＳ１０７）、処理は図８のステップＳ３に移行する。
【００５８】
一方、検索の結果、料金所データ格納部４０２に受信された料金所番号が存在しなかった場合（ステップＳ１０３；ＮＯ）、現在顧客の乗車中であるか否かが判断され、  現在乗車中ではないと判断されると（ステップＳ１０８；ＮＯ）、処理は図８のステップＳ３に移行する。
【００５９】
現在乗車中であると判断されると（ステップＳ１０８；ＹＥＳ）、受信されたＥＴＣデータに含まれる料金所番号が料金／入口・出口名メモリ１０８ｂに格納される（ステップＳ１０９）。
具体的には、ＥＴＣデータに入口料金所番号が含まれている場合には、料金／入口・出口名メモリ１０８ｂの「入口料金所番号」領域に受信した入口料金所番号が格納される。ＥＴＣデータに出口料金所番号が含まれている場合には、料金／入口・出口名メモリ１０８ｂの「出口料金所番号」領域に受信した出口料金所番号が格納される。
【００６０】
次いで、受信されたＥＴＣデータに料金情報が含まれているか否かが判断され、受信されたＥＴＣデータに料金情報が含まれていない場合には（ステップＳ１１０；ＮＯ）、処理はステップＳ１１２に移行する。受信されたＥＴＣデータに料金情報が含まれていると判断された場合（ステップＳ１１０；ＹＥＳ）、受信された料金情報が料金／入口・出口名メモリ１０８ｂの「料金情報」領域に格納される（ステップＳ１１１）。そして、メモリカードリーダライタ１１０により料金所データ格納部４０２にレコードが追加され（ステップＳ１１２）、受信された料金所番号及びフラグ“１”が追加されたレコードに書き込まれ（ステップＳ１１３；書き込み手段）、処理は図８のステップＳ３に移行する。
【００６１】
図１０に、図８のステップＳ４において実行される取引締め処理を示す。当該処理は、ＣＰＵ１０１と記録装置１０９に記憶されている取引締め処理プログラムとの協働によるソフトウエア処理により実現される処理である。
【００６２】
まず、システム時間が取得され、現在日付及び時刻が売上データメモリ１０８ａに格納されるとともに、印字装置１０７によりレシート上に現在日付及び時刻を含むヘッダデータが印刷される（ステップＳ２０１）。ヘッダデータは、例えば、図１２  に示すように「領収書」の文字、発行日付及び時刻により構成される。
【００６３】
次いで、料金メータ３から運賃データが取得され、売上データメモリ１０８ａに格納されるとともに、印字装置１０７によりレシート上に運賃が印刷される（ステップＳ２０２）。次いで、図１１に示すＥＴＣ料金及び入口・出口料金所名印刷処理が実行される（ステップＳ２０３）。
【００６４】
図１１に、図１０のステップＳ２０３において実行されるＥＴＣ料金及び入口・出口料金所名印刷処理を示す。当該処理は、ＣＰＵ１０１と記録装置１０９に記憶されているＥＴＣ料金及び入口・出口料金所名印刷処理プログラムとの協働によるソフトウエア処理により実現される処理である。
【００６５】
まず、料金／入口・出口名メモリ１０８ｂにレコードが格納されているか否かが判断され、レコードが格納されていないと判断されると（ステップＳ３０１；ＮＯ）、処理は図１０のステップＳ２０４に移行する。料金／入口・出口名メモリ１０８ｂにレコードが格納されていると判断されると（ステップＳ３０１；ＹＥＳ）、料金／入口・出口名メモリ１０８ｂの１レコード目がポインタにより指定され（ステップＳ３０２）、指定されたレコードに含まれる料金情報が売上データメモリ１０８ａに格納されるとともに、当該レコードに含まれる料金情報が印字装置１０７によりレシート上に印刷される(ステップＳ３０３)。次いで、指定されたレコードに含まれる料金所番号及び料金所名が売上データメモリ１０８ａに格納されるとともに、当該レコードに含まれる料金所番号及び料金所名が印字装置１０７によりレシート上に印刷される（ステップＳ３０４）。
【００６６】
次いで、料金／入口・出口名メモリ１０８ｂにおいて、ポインタにより指定されているレコードに次のレコードが存在するか否かが判断され、次のレコードが存在すると判断されると（ステップＳ３０５；ＹＥＳ）、次のレコードがポインタにより指定され（ステップＳ３０６）、処理はステップＳ３０３に戻る。ポインタにより指定されているレコードに次のレコードが存在しないと判断されると（ステップＳ３０５；ＮＯ）、処理は図１０のステップＳ２０４に移行する。
【００６７】
図１０のステップＳ２０４においては、運賃データとＥＴＣデータの料金情報の合計が算出され、売上データメモリ１０８ａに格納されるとともに、合計金額が印字装置１０７によりレシート上に印刷される（ステップＳ２０４）。合計金額が印刷されると、印字装置１０７により、レシート上に、合計金額に続いて、タクシー会社のロゴ、車番、乗務員ＮＯ．、連続ＮＯ．が印刷され、レシートが出力されるとともに、車番、乗務員ＮＯ．、連続ＮＯ．が売上データメモリ１０８ａに格納される（ステップＳ２０５）。そして、売上データメモリ１０８ａに格納されたデータがメモリカード４の売上データ格納部４０１に書き込まれ（ステップＳ２０６）、料金／入口・出口名メモリ１０８ｂに記憶されている内容がクリアされ（ステップＳ２０７）、処理は図８のステップＳ１に戻る。
【００６８】
図１２に、取引締め処理により出力されるレシートの一例を示す。図１２に示すように、ＥＴＣの料金所を通過した場合には、通過した料金所の料金所番号が印字されるとともに、メモリカード４において料金所番号に対応する料金所名が格納されている場合には、料金所番号に対応する料金所名が印字される。
【００６９】
以上のように、車載端末１においては、ＥＴＣ車載器２からＥＴＣデータが受信されると、ＥＴＣデータ受信処理が行われ、乗車中である場合には通過した料金所番号、料金所番号に対応する料金所名、料金情報が料金／入口・出口名メモリ１０８ｂに書き込まれる。新たに設けられた料金所等、料金所番号及びこれに対応する料金所名が料金所データ格納部４０２に格納されていない場合、料金所データ格納部４０２にレコードが追加され、ＥＴＣデータに含まれる料金所番号が格納されるとともに、「フラグ」領域にフラグ“１”が設定される。目的地に到達し、入力装置１０２により取引締め処理の実行が指示されると、取引締め処理が実行され、料金メータ３から取得した運賃、通過したＥＴＣ料金所の料金所番号、料金所名、料金情報に基づきレシートが印刷され、メモリカード４に売上データが書き込まれる。
【００７０】
次に、図１３を参照して、収集装置５のＣＰＵ５０１により実行される集計処理について説明する。当該処理は、入力装置５０２により集計処理の実行が指示された際に、記録装置５０８に記憶された集計処理プログラムとの協働によるソフトウエア処理により実行される処理である。なお、メモリカード４に記憶されているデータへのアクセスは、メモリカードリーダライタ５０９を介して行われる。
【００７１】
メモリカードリーダライタ５０９にメモリカード４が装着されると（ステップＳ２１；ＹＥＳ）、メモリカード４の売上データ格納部４０１に格納されている売上データが収集され、即ち、売上データ格納部４０１に格納されている売上データが売上マスタファイル５０８ａに登録され（ステップＳ２２）、メモリカード４の売上データ格納部４０１に格納されているデータがクリアされる（ステップＳ２３）。
【００７２】
次いで、メモリカード４の料金所データ格納部４０２の「フラグ」領域にフラグ“１”が設定されているレコードがあるか検索される（ステップＳ２４）。検索の結果、フラグ“１”が設定されているレコードが存在しない場合（ステップＳ２５；ＮＯ）、処理は書き込み手段としてのステップＳ３２に移行し、料金所マスタファイル５０８ｂの既存レコードのデータ（「フラグ」領域が“０”であり、料金所名が既に登録されているレコード。「フラグ」領域が“１”である料金所名のない追加レコードは含まない）によりメモリカード４の料金所データ格納部４０２のデータが書き換えられ、本処理は終了する。
【００７３】
一方、ステップＳ２４における検索の結果、料金所データ格納部４０２にフラグ“１”が設定されているレコードが存在した場合（ステップＳ２５；ＹＥＳ）、料金所マスタファイル５０８ｂに、検索されたフラグ“１”が設定されているレコードの料金所番号と一致する料金所番号を含むレコードがあるか検索が行われる（ステップＳ２６）。検索の結果、料金所マスタファイル５０８ｂに、メモリカード４の料金所データ格納部４０２においてフラグ“１”が設定されているレコードの料金所番号と一致する料金所番号を含むレコードが存在した場合（ステップＳ２７；ＹＥＳ）、料金所マスタファイル５０８ｂの既存レコードのデータによりメモリカード４の料金所データ格納部４０２のデータが書き換えられて更新され（ステップＳ３２；書き込み手段）、本処理は終了する。
【００７４】
ステップＳ２６における検索の結果、料金所マスタファイル５０８ｂに、料金所データ格納部４０２においてフラグ“１”が設定されているレコードの料金所番号と一致する料金所番号のレコードが存在しなかった場合（ステップＳ２７；ＮＯ）、料金所マスタファイル５０８ｂにレコードが追加され、メモリカード４の料金所データ格納部４０２においてフラグ“１”が設定されているレコードの料金所番号及びフラグ“１”が追加書き込みされる（ステップＳ２８）。ステップＳ２４〜ステップＳ２８により追加書き込み手段が実現される。そして、表示装置５０５に、追加されたレコードの料金所番号、及び当該料金所番号に対応する料金所名の入力を促す通知メッセージが表示される（ステップＳ２９）。なお、既に表示装置５０５に当該メッセージが表示されている場合は、今回追加されたレコードの料金所番号が追加表示される。新料金所名を入力する担当のオペレータは、表示装置５０５の表示から、料金所名の入力が必要であること、及び料金所名を入力すべき料金所番号を認識することが可能となる。
【００７５】
入力装置５０２により、表示された個々の料金所番号に対応させて料金所名が入力されると（ステップＳ３０；ＹＥＳ）、料金所マスタファイル５０８ｂにおいて、入力対象となった料金所番号のレコードに入力された料金所名が対応付けて記憶されるとともに、その「フラグ」領域に“０”が設定され、料金所マスタファイル５０８ｂのデータが更新される（ステップＳ３１；更新手段）。そして、メモリカードリーダライタ１１０により、更新された料金所マスタファイル５０８ｂのデータによりメモリカード４の料金所データ格納部４０２のデータが書き換えられ（ステップＳ３２；書き込み手段）、本処理は終了する。なお、表示された個々の料金所番号に対応する料金所名の入力は、オペレータが道路会社等の外部施設のホームページにアクセスして料金所番号に対応する料金所名を特定し、その名前を入力装置５０２により入力することにより行う。従って、収集装置５においては、予め記録装置５０８に料金所名を調べるための道路会社等の外部施設のホームページのＵＲＬを登録しておき、ステップＳ２９において料金所番号及びメッセージを表示する際には、登録されたＵＲＬへのリンクを表示したり、自動的に登録されたＵＲＬへのアクセスを行ったりするようにすることが好ましい。
【００７６】
図１４に、タクシー会社内の収集装置５での料金所マスタファイル５０８ｂのデータ更新の流れを模式的に示す。例えば、タクシーＴ１において既存の料金所データと新しく追加された新料金所データＡとが書き込まれたメモリカード４により集計処理が行われると、料金所マスタファイル５０８ｂに、新たな料金所データＡが更新用データＡとして追加される。次いで、タクシーＴ２において既存の料金所データと新しく追加された新料金所データＢが書き込まれたメモリカード４により集計処理が行われると、料金所マスタファイル５０８ｂに、新たな料金所データＢが更新用データＢとして追加される。この結果、料金所マスタには、新たな更新用データＡ＋Ｂが追加されることとなる。次いで、タクシーＴ３において既存の料金所データと新しく追加された新料金所データＡが書き込まれたメモリカード４により集計処理が行われると、新料金所データＡはすでに料金所マスタに追加されているので、新料金所データの追加は行われない。このようにして、集計処理の際に、料金所名の登録されていない新たな料金所データが料金所マスタに追加されていく。オペレータが更新用データＡとＢの料金所名を入力すると、料金所マスタに入力された料金所名が登録され、新料金所データＡ及びＢの料金所名を含む料金所マスタに更新される。料金所マスタファイル５０８ｂの更新後にタクシーＴ４、タクシーＴ５のメモリカード４の集計を行うと、更新された料金所データ、即ち、新料金所データＡ、Ｂを含む料金所データがメモリカード４に書き込まれる。
【００７７】
以上のように、収集装置５においては、車載端末１において売上データや料金所番号が書き込まれたメモリカード４が装着されると、メモリカード４の売上データ格納部４０１に書き込まれている売上データが収集されるとともに、料金所データ格納部４０２において、「フラグ」領域に“１”が設定されているレコードがあるか検索が行われ、「フラグ」領域に“１”が設定されているレコードがある場合、料金所マスタファイル５０８ｂに検索されたレコードの料金所番号と一致する料金所番号を含むレコードがあるか検索される。料金所マスタファイル５０８ｂに検索されたレコードの料金所番号と一致する料金所番号を含むレコードが存在しない場合、料金所マスタファイル５０８ｂにレコードが追加され、料金所番号が書き込まれるとともに、表示装置５０５に当該料金所番号に対応する料金所名の入力を促すメッセージが表示される。入力装置５０２から料金所名が入力されると、料金所マスタファイル５０８ｂの追加されたレコードに、料金所番号と対応付けて料金所名が追加書き込みされる。そして、メモリカード４の料金所データ格納部４０２のデータが料金所マスタファイル５０８ｂの内容に更新される。
【００７８】
なお、実施形態１においては、車載端末１において、ＥＴＣ車載器２から受信された料金所番号に対応する料金所名がメモリカード４に記憶されていない場合、その料金所番号をフラグ“１”と対応付けてメモリカード４に書き込むことにより、収集装置５において、新しく追加された料金所の料金所番号を検索しやすくしたが、フラグの設定をなしとする構成としてもよい。この場合、収集装置５において、装着されたメモリカード４に記憶されているレコードのうち料金所名が対応付けられていないレコードが料金所名の入力対象となるので、新たに追加されたレコード以外でも誤操作等により料金所名が対応付けられていないものがあった場合に料金所名を入力することができ、料金所名がないままになっているレコードが見過ごされたままになることを防止することができる。
【００７９】
（実施形態２）
以下、本発明の実施形態２について説明する。
実施形態１においては、ＥＴＣによる料金の収受が主に有料道路の料金の収受に利用され、道路会社のホームページを閲覧することにより料金所番号から料金所名が特定可能であることを前提として説明したが、ＥＴＣ料金所の設置が駐車場やドライブスルーに拡張され、ＥＴＣによりこれらの料金の収受が行われる場合、料金所番号から料金所名が特定できない場合がありうる。即ち、道路会社の数に比べ、駐車場会社の数は多いため、料金所番号からオペレータが何れの駐車場会社のホームページにアクセスすれば料金所名が得られるか特定することが不可能な場合がありうる。また、新しい料金所の情報が日々ホームページで更新されていなければ、新しい料金所名を特定することができない。そこで、実施形態２においては、新たな料金所番号が受信された際に、ＧＰＳ装置１０４から取得される位置情報としての緯度情報、経度情報を料金所番号と対応付けてメモリカード４に格納し、緯度情報、経度情報から地図上で料金所名を特定できるようにする。
【００８０】
まず、実施形態２の構成について説明する。
実施形態２においては、メモリカード４の料金所データ格納部４０２及び料金所マスタファイル５０８ｂのデータ格納構成が実施形態１と異なる。図１５に、メモリカード４の料金所データ格納部４０２のデータ格納例を示す。図１５に示すように、実施形態２においては、図１５で説明したデータ構成の「フラグ」領域の変わりに、料金所番号が受信された際にＧＰＳ装置１０４から受信された緯度情報を格納する「緯度」領域、経度情報を格納する「経度」領域を有する。料金所マスタファイル５０８ｂについても、図１５に示す構成と同様であり、料金所番号が受信された際にＧＰＳ装置１０４から受信された緯度情報を格納する「緯度」領域、経度情報を格納する「経度」領域を有する。
【００８１】
その他の構成は、実施形態１で説明したのと同様であるので説明は省略する。
【００８２】
次に、実施形態２の動作について説明する。
車載端末１においては、実施形態１と同様に図８に示すメイン処理が実行され、ＥＴＣデータの受信が開始されると図１６に示すＥＴＣデータ受信処理（ＥＴＣデータ受信処理Ｂ）が実行され、入力装置１０２から取引締め処理の実行が指示されると、図１０に示す取引締め処理が実行される。即ち、実施形態２において、ＥＴＣデータ受信処理の動作が実施形態１と異なる。
【００８３】
図１６に、本実施形態２において実行されるＥＴＣデータ受信処理Ｂを示す。
【００８４】
ＥＴＣデータ受信処理Ｂにおいて、ＥＴＣ車載器２から料金所番号（入口料金所番号又は出口料金所番号）を含むＥＴＣデータが受信されると（ステップＳ４０１）、ＧＰＳ装置１０４から緯度情報、経度情報が取得され、ＲＡＭ１０８に一時記憶され（ステップＳ４０２）、処理はステップＳ４０３に移行する。ステップＳ４０３〜ステップＳ４１３の処理は、図９で説明したステップＳ１０２〜ステップＳ１１２の処理と同じであるので説明を省略する。ステップＳ４１４においては、料金所データ格納部４０２の追加されたレコードに、受信された料金所番号及びステップＳ４０２において取得された緯度情報及び経度情報が書き込まれ、ステップＳ４１５においては、ＲＡＭ１０８に一時記憶された緯度情報及び経度情報がクリアされ、本処理は終了する。
【００８５】
収集装置５において実行される集計処理は、図１３に示す処理と略同様であるが、ステップＳ２４においては、メモリカード４の料金所データ格納部４０２の「緯度」領域及び「経度」領域にデータが格納されているレコードが検索対象となる。ステップＳ２９において、表示装置５０５に料金所名の入力を促すメッセージを表示する際には、追加レコードの料金所番号と併せて緯度情報及び経度情報が表示される。ステップＳ３１においては、料金所マスタファイル５０８ｂにおいて、料金所名の入力対象となった料金所番号を含むレコードに、入力された料金所名が対応付けて記憶されるとともに、料金所名が入力されたレコードの緯度情報、経度情報がクリアされる。
【００８６】
以上のように、実施形態２においては、料金所マスタファイル５０８ｂに料金所名が登録されていないレコードについては、料金所番号とともにその料金所の緯度情報、経度情報が表示されるので、オペレータは、緯度情報、経度情報を基に、インターネットＮ上で地図情報を提供するサイトにアクセスして料金所名を容易に特定することが可能となる。なお、収集装置５においては、予め記録装置１０９に料金所名を調べるためのインターネットＮ上の地図情報サイトのＵＲＬを登録しておき、ステップＳ２９において料金所番号、緯度情報、経度情報及びメッセージを表示する際には、登録されたＵＲＬへのリンクを表示したり、自動的に登録されたＵＲＬへのアクセスを行ったりするようにすることが好ましい。
【００８７】
なお、実施形態２においては、メモリカード４に記憶されていない新しい料金所番号が受信された場合、ＧＰＳ装置１０４により取得された緯度情報、経度情報を料金所番号と対応付けて記憶するようにしたが、料金所マスタファイル５０８ｂの全てのレコードに緯度情報、経度情報をもたせるようにし、メモリカード４に書き込まれている料金所データのうち、緯度情報及び経度情報が料金所マスタファイル５０８ｂの緯度情報及び経度情報と一致しないものを検索し、検索されたものについて料金所名の入力を行わせるようにしてもよい。このようにすれば、大きな店舗等複数の出入り口がある場合でもそれぞれを新料金所として料金所マスタファイル５０８ｂに追加でき、料金所名をより詳細に設定することが可能となる。
【００８８】
（実施形態３）
以下、本発明の実施形態３について説明する。
実施形態３は、新しい料金所を通過した際に料金所名を録音しておき、録音された音声データを再生することにより料金所名を特定し、料金所マスタファイル５０８ｂに登録可能とするものである。
【００８９】
まず、実施形態３の構成について説明する。
実施形態３においては、メモリカード４は、図１７に示すように、音声データのファイル（音声ファイル）を格納するための音声データ格納部４０３を有する。また、料金所データ格納部４０２は、図１８に示すように、料金所番号を音声ファイルと対応付けるために、料金所番号に対応する音声ファイルのファイル名を格納するための「音声ファイル」領域を有する。料金所マスタファイル５０８ｂも図１８に示すのと同様の構成である。また、特に図示しないが、記録装置５０８には、音声ＤＢ（Data Base）が備えられている。
その他の構成は、実施形態１で説明したのと同様であるので説明は省略する。
【００９０】
次に、実施形態３の動作について説明する。
車載端末１においては、実施形態１と同様に図８に示すメイン処理が実行され、ＥＴＣデータが受信されると図１９に示すＥＴＣデータ受信処理（ＥＴＣデータ受信処理Ｃとする）が実行され、入力装置１０２から取引締め処理の実行が指示されると、図１０に示す取引締め処理が実行される。即ち、実施形態２において、ＥＴＣデータ処理の動作が実施形態１と異なる。
【００９１】
図１９に、本実施形態３において実行されるＥＴＣデータ受信処理Ｃを示す。
【００９２】
ＥＴＣデータ受信処理Ｃにおいては、ステップＳ５０１〜ステップＳ５０８の処理は、ステップＳ１０１〜ステップＳ１０８の処理と同じである。ＥＴＣ車載器２から受信されたＥＴＣデータに含まれる料金所番号が料金所データ格納部４０２に存在せず、かつ、現在乗車中であると判断された場合（ステップＳ５０８；ＹＥＳ）、ステップＳ５０９以降の処理が実行される。
【００９３】
ステップＳ５０９においては、現在通過した料金所の料金所名の音声入力を促すガイダンスが音声入出力装置１０３により出力される。例えば、「新しい料金所です。マイクに向かって料金所名を言ってください」等の音声が出力される。ガイダンスに従って音声入出力装置１０３から音声が入力されると（ステップＳ５１０）、入力された音声データが音声ファイルとして音声データ格納部４０３に書き込まれる（ステップＳ５１１）。
【００９４】
次いで、受信されたＥＴＣデータに含まれる料金所番号が料金／入口・出口名メモリ１０８ｂに格納される（ステップＳ５１２）。
具体的には、ＥＴＣデータに入口料金所番号が含まれている場合には、料金／入口・出口名メモリ１０８ｂの「入口料金所番号」領域に受信した入口料金所番号が格納される。ＥＴＣデータに出口料金所番号が含まれている場合には、料金／入口・出口名メモリ１０８ｂの「出口料金所番号」領域に受信した出口料金所番号が格納される。
【００９５】
次いで、受信されたＥＴＣデータに料金情報が含まれているか否かが判断され、受信されたＥＴＣデータに料金情報が含まれていない場合には（ステップＳ５１３；ＮＯ）、処理は図１９のステップＳ５１５に移行する。受信されたＥＴＣデータに料金情報が含まれていると判断された場合（ステップＳ５１３；ＹＥＳ）、受信された料金情報が料金／入口・出口名メモリ１０８ｂの「料金情報」領域に格納される（ステップＳ５１４）。そして、料金所データ格納部４０２にレコードが追加され（ステップＳ５１５）、受信された料金所番号及びフラグが追加されたレコードに書き込まれるとともに、「音声ファイル」領域に、ステップＳ５１１で格納された音声ファイルのファイル名が書き込まれることにより、音声データと当該レコードが関連付けられ（ステップＳ５１６；書き込み手段）、処理は図８のステップＳ３に移行する。
【００９６】
収集装置５において実行される集計処理は、図１３に示す処理と略同様であるが、ステップＳ２８において、メモリカード４の料金所データ格納部４０２において「フラグ」領域に“１”が設定されているレコードの料金所番号及び音声ファイル名が追加書き込みされるとともに、音声データ格納部４０３の対応する音声ファイルが記録装置５０８の図示しない音声ＤＢに書き込まれる。ステップＳ２９においては、図１３で説明したのと同様に、表示装置５０５に、追加されたレコードの料金所番号及び当該料金所番号に対応する料金所名の入力を促す通知メッセージが表示されるが、本実施形態においては、表示された料金所番号が入力装置５０２により選択されると、選択された料金所番号に対応付けられている音声データが音声出力装置５０７により音声出力されるようになっている。オペレータは、料金所名を入力する際に、表示された料金所番号を選択して、音声を出力し、再生された音声により得られる料金所名を入力すればよい。ステップＳ３０以降の処理は、図１３で説明したのと同様である。
【００９７】
なお、実施形態３においては、新しい料金所番号が受信された際に料金所名を音声入力することとしたが、広角のカメラ又は複数のカメラをタクシー内に設置し、料金所の画像データを撮影するようにしてもよい。このようにすれば、運転手に負担をかけずに新しい料金所名の特定を行うことが可能となる。
【００９８】
以上説明したように、車載端末１において、メモリカード４に料金所名が記憶されていない新しい料金所の料金所番号をメモリカード４に書き込み、そのメモリカード４を収集装置５に装着することにより、装着されたメモリカード４に書き込まれた新しい料金所の料金所番号と、その料金所名とが料金所マスタファイル５０８ｂに追加されるので、少なくとも１台のタクシーＴにおいて新しく設置された料金所から受信した料金所番号に基づいて、複数台の車載端末で新しい料金所の料金所名のデータを容易に共有することが可能となる。
【００９９】
また、車載端末１において、新たに料金所から受信された料金所番号とともにその料金所の位置情報を対応付けてメモリカード４に書き込み、収集装置５において、メモリカード４に記憶された新しい料金所の料金所番号とともにその料金所の位置情報を表示装置５０５に表示することで、オペレータが料金所番号に対応する料金所名を容易に特定し入力することが可能となる。
【０１００】
また、車載端末１において、新たに料金所から受信された料金所番号とともにその料金所の料金所名の音声情報を対応付けてメモリカード４に書き込み、収集装置５において、メモリカード４に記憶された新しい料金所の料金所番号を表示する際に、オペレータの指示に応じてその料金所名の音声情報を出力可能とすることで、オペレータが料金所番号に対応する料金所名を容易に特定し入力することが可能となる。
【０１０１】
なお、上記実施形態１〜３における記述内容は、本発明に係る料金所名更新システム１００の好適な一例であり、これに限定されるものではない。
例えば、メモリカード４に記憶されているデータにアクセスする場合には、上記実施形態のように、メモリカードリーダライタ１１０やメモリカードリーダライタ５０９を介してその都度メモリカード４にアクセスするようにしてもよいし、メモリカード４が装着された際に、メモリカード４に記憶されているデータを全てＲＡＭ１０８やＲＡＭ５０３に一旦読み出して、ＲＡＭ１０８やＲＡＭ５０３にアクセスするようにしてもよい。
【０１０２】
また、上記実施形態１〜３においては、ＥＴＣデータ受信処理、ＥＴＣデータ受信処理Ｂ、ＥＴＣデータ受信処理Ｃにおいて、タクシーに乗客がいる場合、即ち乗車中である場合に、レシートを発行したり、メモリカード４に記憶されていない新しい料金所番号を追加書き込みしたりすることとして説明したが、乗車中でない場合においても、ＥＴＣ車載器からＥＴＣデータが受信された際に、これらの処理を行うようにしてもよい。
【０１０３】
その他、料金所名更新システム１００を構成する各装置の細部構成及び細部動作に関しても、本発明の趣旨を逸脱することのない範囲で適宜変更可能である。
【図面の簡単な説明】
【０１０４】
【図１】本発明に係る料金所名更新システム１００の全体構成を示す図である。
【図２】図１の車載端末１の機能的構成を示すブロック図である。
【図３】図２の売上データメモリ１０８ａのデータ格納例を示す図である。
【図４】図２の料金／入口・出口名メモリ１０８ｂのデータ格納例を示す図である。
【図５】図１のメモリカード４の構成例を示す図である。
【図６】図５の料金所データ格納部４０２のデータ格納例を示す図である。
【図７】図１の収集装置５の機能的構成を示すブロック図である。
【図８】図２のＣＰＵ１０１により実行されるメイン処理を示すフローチャートである。
【図９】図２のＣＰＵ１０１により実行されるＥＴＣデータ受信処理を示すフローチャートである。
【図１０】図２のＣＰＵ１０１により実行される取引締め処理を示すフローチャートである。
【図１１】図２のＣＰＵ１０１により実行されるＥＴＣ料金及び入口・出口料金所名印刷処理を示すフローチャートである。
【図１２】図１０の取引締め処理により出力されるレシートの一例を示す図である。
【図１３】図７のＣＰＵ５０１により実行される集計処理を示すフローチャートである。
【図１４】タクシー会社内での料金所マスタファイル５０８ｂのデータ更新の流れを模式的に示す図である。
【図１５】実施形態２におけるメモリカード４の料金所データ格納部４０２のデータ格納例を示す図である。
【図１６】図２のＣＰＵ１０１により実行されるＥＴＣデータ受信処理Ｂを示すフローチャートである。
【図１７】実施形態３におけるメモリカード４のデータ格納例を示す図である。
【図１８】実施形態３におけるメモリカード４の料金所データ格納部４０２のデータ格納例を示す図である。
【図１９】図２のＣＰＵ１０１により実行されるＥＴＣデータ受信処理Ｃを示すフローチャートである。
【符号の説明】
【０１０５】
１００  料金所名更新システム
１  車載端末
１０１  ＣＰＵ
１０２  入力装置
１０３  音声入出力装置
１０３ａ  マイク
１０３ｂ  スピーカ
１０４  ＧＰＳ装置
１０５  伝送制御部
１０６  表示装置
１０７  印字装置
１０８  ＲＡＭ
１０８ａ  売上データメモリ
１０８ｂ  料金／入口・出口名メモリ
１０９  記録装置
１１０  メモリカードリーダライタ
１１１  バス
２  ＥＴＣ車載器
３  料金メータ
４  メモリカード
４０１  売上データ格納部
４０２  料金所データ格納部
５  収集装置
５０１  ＣＰＵ
５０２  入力装置
５０３  ＲＡＭ
５０４  伝送制御部
５０５  表示装置
５０６  印字装置
５０７  音声出力装置
５０８  記録装置
５０８ａ  売上マスタファイル
５０８ｂ  料金所マスタファイル
５０９  メモリカードリーダライタ
５１０  バス
【図１】
2008027053.tif 000003
【図２】
2008027053.tif 000004
【図３】
2008027053.tif 000005
【図４】
2008027053.tif 000006
【図５】
2008027053.tif 000007
【図６】
2008027053.tif 000008
【図７】
2008027053.tif 000009
【図８】
2008027053.tif 000010
【図９】
2008027053.tif 000011
【図１０】
2008027053.tif 000012
【図１１】
2008027053.tif 000013
【図１２】
2008027053.tif 000014
【図１３】
2008027053.tif 000015
【図１４】
2008027053.tif 000016
【図１５】
2008027053.tif 000017
【図１６】
2008027053.tif 000018
【図１７】
2008027053.tif 000019
【図１８】
2008027053.tif 000020
【図１９】
2008027053.tif 000021